(57)【要約】【課題】商材や技術の機能その他を示す多数の数値的選択要素は、その物体の複雑さやメーカーの戦略のために利用者の優劣選択は難しく、利用者自身の選択基準があいまいになる事も多かった。特に消費財の場合は本来楽しみである購入品の優劣選択を楽しく表現できる仕組みが無かった。さらに、利用者の客観性が欠けるために、クレーム発生の原因になったり、商取取引に長時間を要したりしていた。【解決手段】商材や技術の機能その他を示す多数の数値的選択要素を自動的に電子ディスプレー上に点や面や線でカラフルに三次元可視化して、利用者の優劣選択を容易にして商取引を円滑にすると同時に、インターネットを利用して遠隔地からの可視化表示および即決購入手段を提供する。さらに、利用者が購入予定の立体画像はカラフルでアクセサリの様に常時表示し利用者の購買心理を掻き立てるようにした。【選択図】    なし【特許請求の範囲】
【請求項１】
多変数数値を式に基づき自動演算して電子ディスプレーに点で立体的に可視化する装置において、３次元全体像から使用者の優劣選択の利便性を図る手段を提供する三次元可視化システム。
【請求項２】
電子ディスプレーに線や面で表示し、３次元全体像の向きや時系列変化から使用者の優劣選択の利便性を図る請求項１の三次元可視化システム。
【請求項３】
使用者の数値入力をインターネット等遠隔地で受信し、演算後に返信して自動的に使用者の電子ディスプレーに立体的に可視化する請求項１の三次元可視化システム。
【請求項４】
使用者の数値入力をインターネット等遠隔地で受信し、演算後に返信して自動的に購入情報と同時に使用者の電子ディスプレーに立体的に可視化し、使用者の選択を受けて自動発注する請求項１の三次元可視化システム。
【発明の詳細な説明】
【０００１】
【発明の属する技術分野】
本発明は商材や技術の機能その他を示す多数の数値的選択要素をパソコン、携帯電話、ＰＤＡ等に合理的に可視化し、利用者の優劣選択の補助をするシステムに関するものである。
【０００２】
【従来の技術】
従来、商材や技術の機能選択にあたり、カタログ等資料を集め、数値表で比較したり、基本的に二次元の積み重ねで利用者の頭の中で数値機能比較をしたりして選択していた。そのために選択には膨大な思考が必要で、多数数値の比較には常に選択ミスの可能性を含み、特に楽しみであるはずの消費財の選択には苦痛すら伴っていた。また、選択要素がければ多いほど利用者の比較に時間が掛かり、円滑な選択がなされず、膨大な商取引情報を常に持ち歩くこともできず、商取引のネックになってり取引が成立しにくかった。
【０００３】
【発明が解決しようとする課題】
従来は商材や技術の機能選択にあたり多数数値の比較の難しさ、苦しみ、また、多数の複雑数値のため選択ミスが多数発生し、商取引が円滑化されにくい問題点があった。さらに、利用者の選択ミスによる返品クレームや事業者側から営業のための情報提供に多大な時間を要していた。
【０００４】
【課題を解決するための手段】
商材や技術の機能を示す多数数値の意味を利用者が理解できる様に三次元化表現し視覚的情報量を倍増するように数値を第一象限から第四象限で示されるグラフ多数の平面に分割しして表示し、されにこれを各グラフが共通の重みを持つように、公約的数値で補正して整形する。整形した後にＹ軸を中心に立体的に配置することにより、パソコン、携帯電話、ＰＤＡ等の電子ディスプレーに各商材や技術の機能を三次元に可視化して図示することができるようにし、各機能の長所欠点が３次元グラフ上の凹凸の形ですようにする。さらに、整形されたグラフに閾値を設け、色分けを行い、立体図の上で利用者が一目瞭然に選択できるようにする。また、整形時に具体的商品のイメージを出す様に、自動車や馬等商材の形が作れる様係数を掛ける場合もある。さらに、三次元可視化画像は利用者が送信したデータを事業者が受信、演算して利用者に送り返したり、事業者側が商材提案して利用者に送ったりする。事業者は利用者に送信する時に購入情報を添付して、利用者の購入の利便をはかる場合もある。
【０００５】
【実施例】
商材や技術の示す、多数の数値比較データを２次元表記できる２次元表状態まで分割し（図１）、さらに１行毎に分割し、それぞれを平面グラフのＸ軸Ｙ軸に第一象限から第四象限まで割り付ける。（図２い、２ろ・・）このとき、グラフが第一象限から第四象限に３６０度に均等分散するように９０度軸（Ｙ軸）から始めて、各データをデータ数で割った角度づづプロットする。次にプロットされた各グラフ（図２い、２ろ・・）を０軸を中心として立体的に等間隔で割り付け（図３、３′）されることにより柱状の立体が完成する。また、各グラフの注目値（例えばＡ）をＹ軸上に割付け、この値を１としてグラフを整形する。さらに順次に各比較データの２次元グラフを作る。各グラフをＹ軸を中心に３６０度均等割りになるように並べる。これにより、針状の立体球体（図４、４′）が完成する。この針状の球体に閾値を付けて各数値毎に寒色から暖色を順次割付る。この表示状態は線香花火状になっており、利用者が多数の数値データ各項の持つ意味、特徴を把握するための客観的判断に適し、また、さらに時系列的数値を加えた場合、さらに線香花火の始まりから最盛期そして終わりまできれいな点滅が示される状態となり、利用者が再認識して商材の選択を楽しく出来るようにする。また、表面がスムーズになるようなテクスチャーを装備し、これをパソコン（５）等のディスプレーに三次元で表現することにより、球体さらには、自動車、馬等具体的に商材が限定される場合、球形ではなく、車両形状やタイヤにグラフの割付を行い、楽しく動力性能やボディ形状を比較できるように表現してパソコン等のディスプレーに表示する。これらをインターネットを利用して商取引の増大に利用する。事業者からの提案の場合、自社商材を他社商材と比較できる三次元可視化画像を作り、ワンクリックで発注できるＵＲＬを添えて利用者に送付する。利用者はこの可視化画像を見て、納得して発注をしてくる。その他、利用者が多変数数値表を事業者に送付して、事業者がこれを有償、無償で三次元可視化整形して利用者に送り返す。
【０００６】
【発明の効果】
本発明による三次元可視化システムを利用することにより、商材や技術の機能仕様を示す多変数数値が利用者に判断しやすい形で可視化できるため、利用者の立場を選ぶ苦痛から選ぶ楽しみに変えまた、利用者自身が商材や機能を評価して決定するため。商店等事業者側は利用者からの質問や商材調査の時間が節約でき、利用者も自分で選択したという自負があるためクレームの機会を減少させることができ、商取引が活性化される。さらに、利用者がディズプレー上の当該画像を眺めることで、購入意欲を盛り上げる。また、インターネットを通して、商材や技術の機能、仕様の多変数を受信して、本システムを通して、三次元可視化して利用者端末に返送する新たなビジネスとしてとして起業できる。本発明による三次元可視化システムをを取り入れた新規端末を発売することにより新たな需要を産出する。
【図面の簡単な説明】
【図１】数値比較二次元表
【図２】二次元平面グラフ
【図３】三次元柱状グラフ
【図４】三次元立体グラフ
【図５】インターネット受発注装置
【符号の説明】
（１）は商材や技術を示す数値
（２）は各数値の２次元グラフ
（３）は三次元立体画像の組み立て
（４）は三次元立体画像の例
（５）は利用者パソコン
（６）は事業者パソコン
（７）は演算依頼データ
（８）は事業者送信データ
（９）は利用者注文データ
【図１】
2005011295.tif 000002
【図３】
2005011295.tif 000003
【図４】
2005011295.tif 000004
【図５】
2005011295.tif 000005
【手続補正書】
【提出日】平成15年9月1日(2003.9.1)
【手続補正１】
【補正対象書類名】明細書
【補正対象項目名】図面の簡単な説明
【補正方法】変更
【補正の内容】
【図面の簡単な説明】
【図１】数値比較二次元表から二次元平面グラフへの展開
【図２】二次元平面グラフ
【図３】二次元平面グラフから三次元柱状グラフの組立
【図４】二次元平面グラフから三次元立体グラフの組立
【図５】インターネット受発注装置
【符号の説明】
１  商材や技術を示す数値比較二次元表
２  い行の二次元平面グラフ
３  ろ行の二次元平面グラフ
４  三次元立体グラフの例
５  利用者パソコン
６  事業者パソコン
７  演算依頼データ
８  事業者送信データ
９  利用者注文データ


【手続補正２】
【補正対象書類名】図面
【補正対象項目名】全図
【補正方法】変更
【補正の内容】
【図１】
2005011295.tif 000006
【図２】
2005011295.tif 000007
【図３】
2005011295.tif 000008
【図４】
2005011295.tif 000009
【図５】
2005011295.tif 000010